(57)【要約】【課題】映像を切り替えても映像の乱れを生じることのないマルチビューディスプレイ装置、マルチビューディスプレイ装置における制御方法、及び制御プログラムを提案すること。【解決手段】並び替え部１０に地図画とＮＴＳＣ画像（ＤＶＤから再生された画像）とが入力される。例えば、並び替え部１０は２つの画像を画素単位に交互に並び替える。挿入部２０には、並び替え後の画像と、映像ミュート用の黒画が入力される。例えば、助手席のユーザがＤＶＤからＴＶに映像を切り替えたとき、マイコン３０はその切り替えを検知して制御信号を挿入部２０に出力する。挿入部２０は、制御信号に基づいて黒画に切り替えて出力する。その後、挿入部２０は並び替え部１０からの画像に切り替えて出力する。【選択図】  図１
2007036454.tif 000002
【特許請求の範囲】
【請求項１】
１画面内に複数の映像を表示して、第１の視点側と第２の視点側とで前記各映像を同時に表示するようにしたマルチビューディスプレイ装置において、
前記各映像が他の映像に切り替わるとき、前記各映像と他の映像との間にミュート画を挿入することで映像ミュートを行う制御手段、
を備えることを特徴とするマルチビューディスプレイ装置。
【請求項２】
請求項１記載のマルチビューディスプレイ装置において、
前記制御手段は、前記第１の視点側に表示される前記映像と前記第２の視点側に表示される前記映像とに対して同一のタイミングで前記ミュート画を挿入する、ことを特徴とするマルチビューディスプレイ装置。
【請求項３】
請求項１記載のマルチビューディスプレイ装置において、
前記制御手段は、前記第１の視点側に表示される前記映像と前記第２の視点側に表示される前記映像とに対して夫々個別のタイミングで前記ミュート画を挿入する、ことを特徴とするマルチビューディスプレイ装置。
【請求項４】
請求項２又は３記載のマルチビューディスプレイ装置において、
前記制御手段は、色指定された前記ミュート画を挿入する、ことを特徴とするマルチビューディスプレイ装置。
【請求項５】
請求項２又は３記載のマルチビューディスプレイ装置において、
前記制御手段は、夫々個別に色指定された前記ミュート画を挿入する、ことを特徴とするマルチビューディスプレイ装置。
【請求項６】
請求項２又は３記載のマルチビューディスプレイ装置において、
前記制御手段は、前記各映像の切り替わる直前のフレーム画を前記ミュート画として同時に挿入する、ことを特徴とするマルチビューディスプレイ装置。
【請求項７】
請求項２又は３記載のマルチビューディスプレイ装置において、
前記制御手段は、前記各映像の切り替わる直前のフレーム画を夫々個別に前記ミュート画として挿入する、ことを特徴とするマルチビューディスプレイ装置。
【請求項８】
１画面内に複数の映像を表示して、第１の視点側と第２の視点側とで前記各映像を同時に表示するようにしたマルチビューディスプレイ装置における制御方法において、
前記各映像が他の映像に切り替わるとき、前記各映像と他の映像との間にミュート画を挿入することで映像ミュートを行う、
ことを特徴とする制御方法。
【請求項９】
１画面内に複数の映像を表示して、第１の視点側と第２の視点側とで前記各映像を同時に表示させるようにしたマルチビューディスプレイ装置における制御プログラムにおいて、
前記各映像が他の映像に切り替わるとき、前記各映像と他の映像との間にミュート画を挿入することで映像ミュートを行う処理、
をコンピュータに実行させることを特徴とする制御プログラム。
【請求項１０】
２つの入力映像を、それぞれ異なる２つの方向から見られるよう合成して同一画面上に表示する機能を持つマルチビューディスプレイ装置において、
一方の入力映像が、第１の映像から第２の映像に切り替わるときの同期調整に際して、当該第１又は当該第２の映像と他方の入力映像とを前記同一画面上に表示する代わりに、所定の映像を表示する、
ことを特徴とするマルチビューディスプレイ装置。
【請求項１１】
前記所定の映像の映像信号は、前記他方の入力映像の映像信号に基づいて定まるものである、
ことを特徴とする請求項１０記載のマルチビューディスプレイ装置。
【請求項１２】
前記所定の映像の映像信号は、前記２つの入力映像の映像信号それぞれに基づいて定まる２種類の映像信号を、前記２つの方向に応じて合成したものである、
ことを特徴とする請求項１０記載のマルチビューディスプレイ装置。
【発明の詳細な説明】
【技術分野】
【０００１】
本発明は、１つの画面内に２つの異なる画像を表示するマルチビューディスプレイ装置に関する。詳しくは、映像のミュートを行い得るマルチビューディスプレイ装置に関する。
【背景技術】
【０００２】
従来から、カーナビゲーション装置等で運転席用の画像と助手席用の画像の異なる２つの画像を１つのディスプレイ装置に同時に表示できるようにしたディスプレイ装置が提案されている。
【０００３】
かかる機能は、例えば、液晶画面内において１水平走査ライン上に交互に画素単位で２つの異なる画像の画素を並べるように表示するとともに、液晶画面の前方に画面縦方向に所定画素幅で交互にスリットを有するスリットバリアを設け、液晶画面の見る位置により異なる２つの画像を別々に表示することで実現している（例えば、以下の特許文献１）。
【０００４】
一方で、ＴＶ装置等ではチャンネル切り替え等による映像の切り替え時に、映像の乱れを防止するため、１フレーム或いは複数フレームに亘りミュート画像を挿入している。
【特許文献１】特許第３１９４０２４号特許公報、特に図３
【発明の開示】
【発明が解決しようとする課題】
【０００５】
しかしながら、かかる映像ミュートを行い得るマルチビューディスプレイ装置は従来では提案されていなかった。かかる装置では、映像の切り替えを行う機会も多く、映像ミュートを行うことで、映像の乱れを発生させることなく切り替えを行う機能が望まれていた。
【０００６】
そこで、本発明は映像を切り替えても映像の乱れが生じることのないマルチビューディスプレイ装置、マルチビューディスプレイ装置における制御方法、及び制御プログラムを提案することを目的とする。
【課題を解決するための手段】
【０００７】
上記目的を達成するために本発明は、１画面内に複数の映像を表示して、第１の視点側と第２の視点側とで前記各映像を同時に表示するようにしたマルチビューディスプレイ装置において、前記各映像が他の映像に切り替わるとき、前記各映像と他の映像との間にミュート画を挿入することで映像ミュートを行う制御手段、を備えることを特徴としている。
【０００８】
また、本発明は、上記マルチビューディスプレイ装置において、前記制御手段は前記第１の視点側に表示される前記映像と前記第２の視点側に表示される前記映像とに対して同一のタイミングで前記ミュート画を挿入することを特徴としている。
【０００９】
更に、本発明は、上記マルチビューディスプレイ装置において、前記制御手段は前記第１の視点側に表示される前記映像と前記第２の視点側に表示される前記映像とに対して夫々個別のタイミングで前記ミュート画を挿入することを特徴とする。
【００１０】
更に、本発明は、上記マルチビューディスプレイ装置において、前記制御手段は色指定された前記ミュート画を挿入することを特徴としている。
【００１１】
更に、本発明は、上記マルチビューディスプレイ装置において、前記制御手段は夫々個別に色指定された前記ミュート画を挿入することを特徴としている。
【００１２】
更に、本発明は、上記マルチビューディスプレイ装置において、前記制御手段は前記各映像の切り替わる直前のフレーム画を前記ミュート画として同時に挿入することを特徴とする。
【００１３】
更に、本発明は、上記マルチビューディスプレイ装置において、前記制御手段は前記各映像の切り替わる直前のフレーム画を夫々個別に前記ミュート画として挿入することを特徴とする。
【００１４】
また、上記目的を達成するために本発明は、１画面内に複数の映像を表示して、第１の視点側と第２の視点側とで前記各映像を同時に表示するようにしたマルチビューディスプレイ装置における制御方法において、前記各映像が他の映像に切り替わるとき、前記各映像と他の映像との間にミュート画を挿入することで映像ミュートを行うことを特徴とする。
【００１５】
更に、上記目的を達成するために本発明は、１画面内に２つの映像を表示して、第１の視点側と第２の視点側とで前記各映像を同時に表示させるようにしたマルチビューディスプレイ装置における制御プログラムにおいて、前記各映像が他の映像に切り替わるとき、前記各映像と他の映像との間にミュート画を挿入することで映像ミュートを行う処理、をコンピュータに実行させることを特徴とする。
【００１６】
更に、上記目的を達成するために本発明は、２つの入力映像を、それぞれ異なる２つの方向から見られるよう合成して同一画面上に表示する機能を持つマルチビューディスプレイ装置において、一方の入力映像が、第１の映像から第２の映像に切り替わるときの同期調整に際して、当該第１又は当該第２の映像と他方の入力映像とを前記同一画面上に表示する代わりに、所定の映像を表示することを特徴とする。
【００１７】
また、本発明は前記マルチビューディスプレイ装置において、前記所定の映像の映像信号は、前記他方の入力映像の映像信号に基づいて定まるものであることを特徴とする。
【００１８】
更に、本発明は前記マルチビューディスプレイ装置において、前記所定の映像の映像信号は、前記２つの入力映像の映像信号それぞれに基づいて定まる２種類の映像信号を、前記２つの方向に応じて合成したものであることを特徴とする。
【発明の効果】
【００１９】
本発明によれば、映像を切り替えても映像の乱れが生じることのないマルチビューディスプレイ装置、マルチビューディスプレイ装置における制御方法、及び制御プログラムを提案することができる。
【発明を実施するための最良の形態】
【００２０】
本発明を実施するための最良の形態について、以下図面を参照しながら説明する。
【００２１】
［実施例１］
図１（Ａ）は、本発明が適用されるマルチビューディスプレイ装置（「ＭＶ装置」）１の構成例を示す図である。ＭＶ装置１は、並び替え部１０と、ミュート画像挿入部（以下、「挿入部」）２０と、マイコン３０と、ＴＦＴ（Thin Film Transistor）型液晶ディスプレイ（以下、「ＴＦＴ」）４０とから構成される。
【００２２】
並び替え部１０は、運転席側に表示するための画像と助手席側に表示するための画像とが入力されると、これらの２つの画像の画素を、１ライン上に交互に並び替えて出力する。ここにおいて２つの画像は、地図画やＮＴＳＣ画像等である。ＮＴＳＣ画像には、ＤＶＤ再生装置から再生された画像やアンテナで受信したＴＶ画像があり、これらの画像の並び替え部１０への入力は、ユーザによる切り替え指示等に応じて切り替えられる。
【００２３】
挿入部２０は、並び替え部１０からの画像と映像ミュート用の画像とが入力されて、並び替え部１０からの画像にミュート用の画像を挿入して出力する。本実施例１では、ミュート用の画像は黒画であり、図１に示すように接地された信号線からの入力信号により生成される。
【００２４】
ＴＦＴ４０は、挿入部２０からの出力画像が入力されて、この出力画像を表示する。尚、ＴＦＴ４０の前面にＴＦＴ４０画面の上下方向に所定の画素幅のスリットを有するスリット部を備える。このスリット部により、視点を変えることで、例えば、運転席に座っているユーザは地図画の映像を見ることができ、助手席に座っているユーザはＮＴＳＣ画の映像を見ることができる。
【００２５】
マイコン３０は、ユーザにより切り替え指示等があったとき、挿入部２０に対して制御信号を出力する。挿入部２０は、この制御信号に基づいて並び替え部１０からの画像とミュート用の画像とを切り替える。この切り替えにより、ミュート画が挿入されて映像ミュートが行われる。
【００２６】
このように構成されたＭＶ装置１の動作について、図１（Ｂ）を用いて説明する。例えば、助手席側のユーザが、所定の操作ボタンを操作することで、ＤＶＤから再生されたＮＴＳＣ画像からアンテナで受信したＴＶ画像に切り替えたとする。
【００２７】
マイコン３０は、操作ボタンの操作を検知すると、映像の切り替わりでミュート画を挿入すべく制御信号を出力する。挿入部２０では、この制御信号に基づいて、並び替え部１０からの画像からミュート画（黒画）に切り替えて出力する。
【００２８】
並び替え部１０の出力画像に対してミュート画を挿入することになるため、ＤＶＤ画像からＴＶ画像に切り替わるタイミングで黒画のミュート画が挿入されるとともに、そのタイミングで地図画にもミュート画が挿入される。
【００２９】
このミュート画への切り替えは、１フレーム期間或いは数フレーム期間に亘り行われる。その後、挿入部２０は、ＴＶ画、地図画に切り替えて出力する。従って、図１（Ｂ）に示すように、ＴＦＴ４０では運転席側にも助手席側にも同じタイミングで映像ミュートが行われた映像が表示される。
【００３０】
ここで切り替えについて詳細に説明する。まず、挿入部２０は、並び替え部１０からの画像、すなわち地図画とＤＶＤ再生されたＮＴＳＣ画像とからなる画像をＴＦＴ４０に出力している。この出力が行われている間に、マイコン３０は、ユーザによる切り替え指示、すなわち操作ボタンの切り替え操作を検知すると、挿入部２０に制御信号を出力する。この制御信号が出力されるタイミングは、挿入部２０からＴＦＴ４０に出力される画像の垂直同期信号に合わせたタイミングである。この制御信号を受けた挿入部２０は、並び替え部１０からの画像をＴＦＴ４０に出力することを停止し、その停止と同時にミュート用の黒画をＴＦＴ４０に出力する。この動作によりＴＦＴ４０は、地図画とＤＶＤのＮＴＳＣ画像からなる画像の表示を黒画の表示に切り替える。
【００３１】
一方、並び替え部１０には、ユーザによる切り替え指示によって、それまで入力されていたＤＶＤ再生によるＮＴＳＣ画像の入力から、ＴＶ画像の入力に切り替えられる。なお、ＤＶＤ再生によるＮＴＳＣ画像は、少なくとも上記の垂直同期信号の箇所までは並び替え部１０に入力される。ＴＶ画像は、並び替え部１０への入力開始当初は、地図画との同期がとれていない。同期をとるために、並び替え部１０あるいはその前段部分には、図示しないバッファが備えられ、それを利用して地図画との同期が調整される。並び替え部１０は、ＴＶ画入力当初から同期が合うまでの期間は、地図画とＴＶ画とを、同期がとれていないまま並び替えて挿入部２０に出力する。よって、仮に、この間の画像が挿入部２０からＴＦＴ４０に出力されてしまうと、ＴＦＴ４０は、同期がとれていないＴＶ画像を出力し、乱れた画像を表示してしまうことになる。この不具合を解消するために、挿入部２０は、少なくともＴＶ入力当初から同期が合うまでの期間については、ミュート画像をＴＦＴ４０に出力するようにしている。よってタイミングとしては、挿入部２０は、ＴＦＴ４０への黒画の出力の開始以後に、並び替え部１０より地図画とＴＶ画とからなる画像の入力を受ける。そして、所定期間後のある垂直同期タイミングで黒画の出力を停止し、地図画とＴＶ画からなる画像の出力を開始する。この所定期間は、同期を合わせるのに必要とされる期間であり、例えば、１フレーム期間あるいは数フレーム期間である。数フレームのミュート画像であれば、地図画の視認性にさほど悪影響はなく、それよりもＴＶ画の乱れを表示しないことによる視認性の効果の方が高い。
【００３２】
これにより、映像の切り替わりで発生する映像の乱れを防止することができる。
【００３３】
［実施例２］
次に実施例２について説明する。実施例１では、映像ミュートを運転席側の映像及び助手席側の映像の双方に同一のタイミングで行っていた。本実施例２では、これら２つの映像に対して個別のタイミングで映像ミュートを掛けるようにする。
【００３４】
図２は、本実施例２におけるＭＶ装置１の構成例を示す図である。実施例１と同一の構成には同一の番号を付している。
【００３５】
本ＭＶ装置１では、並び替え部１０の前段にミュート画像を挿入するための第１の挿入部２１と第２の挿入部２２とを設けている。これらの挿入部２１、２２もマイコン３０からの制御信号に基づいて、接地側の入力に１フレーム或いは数フレームに亘り切り替えることでミュート画（黒画）が挿入される。
【００３６】
マイコン３０から制御信号を出力するタイミングを異ならせることで、個別のタイミングで映像ミュートを掛けることができる。
【００３７】
より詳しくは、挿入部２１は、入力される地図画を並び替え部１０に出力し、その地図画の種類が切り替えられるときミュート画を挿入する。ここで、地図画の種類は、例えば、走行規制画と走行規制画以外の通常の地図画とがある。また、走行規制画は、例えば、２ステップ以上の操作が必要となるタッチパネル式ボタンを非表示にする等、走行規制に則って構成された画像である。挿入部２１には、車両の停止中は通常の地図画が入力され、車両が走行を開始すると走行規制画が入力される。
【００３８】
マイコン３０は、走行開始を検知すると、挿入部２１に制御信号を出力する。この制御信号が出力されるタイミングは、通常の地図画の垂直同期信号に合わせたタイミングである。この制御信号を受けた挿入部２１は、通常の画像を並び替え部１０に出力することを停止し、その停止と同時にミュート画像を並び替え部１０に出力する。ミュート画が出力される期間は、少なくとも、新たに入力される走行規制画の入力開始からその同期がとれるようになるまでを含んだ期間であることが望ましい。走行規制画の同期がとれると、挿入部２１は、次の垂直同期信号のタイミングで、ミュート画像の出力から走行規制画の出力に切り替える。走行規制画から通常の地図画に切り替える場合も同様である。
【００３９】
挿入部２２は、入力されるＤＶＤ再生によるＮＴＳＣ画像またはＴＶ画像を並び替え部１０に出力し、この２つの画像が切り替えられるときミュート画を挿入する。ユーザによる切り替え指示を検知したマイコン３０から制御信号が出力されると、挿入部２２は、それまで入力されていた画像を並び替え部１０に出力することを停止し、その停止と同時にミュート画像を並び替え部１０に出力する。ミュート画像が出力される期間は、少なくとも、新たに入力されるＴＶ画の入力開始からその同期がとれるようになるまでを含んだ期間であることが望ましい。ＴＶ画の同期がとれると、挿入部２２は、Ｔ次の垂直同期信号のタイミングで、ミュート画像の出力からＴＶ画の出力に切り替える。ＴＶ画からＤＶＤ再生によりＮＴＳＣ画に切り替える場合も同様である。
【００４０】
この場合の動作について説明する。図２（Ｂ）に示すように、運転席側に地図画の映像が表示され、助手席側にＤＶＤからのＮＴＳＣ画像が表示されている場合を考える。
【００４１】
例えば、車両が停止しているときに地図画が表示され、運転手が車両を動かすことで走行規制画の映像に切り替わるとする。このとき、表示される映像は、地図画から走行規制画に切り替わるため、ミュート画像を挿入する必要がある。
【００４２】
マイコン３０が、車両の移動等、車両の走行開始動作を検出すると、第１の挿入部２１に第１の制御信号を出力する。第１の挿入部２１では、第１の制御信号に基づいて、１フレーム或いは複数フレームに亘り接地側の入力、即ち黒画のミュート画を選択して出力する。従って、図２（Ｂ）に示すようにミュート画が挿入された映像が出力される。その後、第１の挿入部２１は入力された走行規制画に切り替えて出力する。
【００４３】
一方、走行中に助手席に座っているユーザが、操作ボタンを操作してＤＶＤ画像からＴＶ画像に切り替えたとき、マイコン３０はその切り替えを検出して、第２の挿入部２２に第２の制御信号を出力する。第２の挿入部２２は、この制御信号に基づいて、１フレーム又は数フレームに亘り黒画を出力する。その後、ＴＶ画を出力するよう切り替えることでミュート画が挿入された映像が表示される。
【００４４】
個別のタイミングで映像ミュートを行うことで、他方の映像にはミュート画が表示されずミュートによる影響を与えないため、目立つことなく映像の切り替えを行うことができる。また、映像を切り替えても運転席側と助手席側の双方とも映像の乱れは生じない。
【００４５】
［実施例３］
次に実施例３について説明する。本実施例３は、指定された色のミュート画像を２つの映像の双方に同一タイミングで挿入する例である。
【００４６】
図３（Ａ）は、本実施例３におけるＭＶ装置１の構成例を示す図である。実施例１（図１）等と同一の構成には同一の番号を付している。本ＭＶ装置１には、更に、所定の色のミュート画像が記憶されたレジスタ５０を備えている。
【００４７】
挿入部２０は、マイコン３０からの制御信号に基づいて、レジスタ５０のミュート画像に切り替えて出力することで、映像ミュートが行われる。
【００４８】
図３（Ｂ）に示す例で動作を説明する。並び替え部１０には、地図画とＤＶＤから再生されたＮＴＳＣ画像とが入力される。例えば、助手席のユーザが操作ボタンを操作して、ＤＶＤ画からＴＶ画に切り替えたとき、マイコン３０はその操作を検知して、挿入部２０に制御信号を出力する。挿入部２０は、この制御信号に基づいてレジスタ５０に記憶された所定の色（例えば、青など）のミュート画像を読み出して出力する。
【００４９】
従って、ＤＶＤ画にミュート画像が挿入されるとともに、地図画にも同じミュート画像が１フレーム或いは数フレーム挿入される。その後、挿入部２０は、並び替え部１０からの出力画像に切り替えて出力することで、夫々ＴＶ画、地図画の映像がＴＦＴ４０に表示される。
【００５０】
この例の場合も、運転席側、助手席側における映像の切り替えの際に、映像ミュートが行われるため、切り替え時の映像の乱れをなくすことができる。
【００５１】
尚、レジスタ５０に記憶されたミュート画像の色は、例えば、地図画、或いは走行規制画などの背景色が望ましい。背景色と同じ色のミュート画が表示されれば、運転席側又は助手席側で目立つことなく映像の切り替えが行われるからである。
【００５２】
更に、本ＭＶ装置１では、並び替え部１０には種々のモードによって、様々な映像が入力される。例えば、ソース切り替えモードの際には、上述したようにＤＶＤ画からＴＶ画に映像が切り替わり、ＴＶチャンネル切り替えモードの際には、あるチャンネルから別のチャンネルに映像が切り替わる。また、目的地設定モードの際には、地図画から目的地を設定する画に切り替わる。
【００５３】
ここで、挿入部２０に挿入されるミュート画像の色は、切り替え前のモードの背景色を指定することができれば、ミュート画像を目立たなくすることができる。例えば、現在再生中のオーディオの曲名等が表示されるオーディオモード（背景色は青）からＴＶチャンネル切り替えモード（背景色は黒）に切り替わるときに、青色のミュート画像を挿入する。
【００５４】
かかる場合に、種々のモードに対応するようにするため、複数色のミュート画像がレジスタ５０に記憶される。また、マイコン３０は、映像切り替えの際に読み出すべき色のミュート画像を指定した制御信号をレジスタ５０と挿入部２０に出力する。レジスタ５０からは指定色のミュート画像を出力し、挿入部２０は映像の切り替わりのタイミングでかかるミュート画像を切り替えて出力する。
【００５５】
本実施例において、レジスタ５０から出力されるミュート画の色は、次のように定めても良い。
【００５６】
すなわち、並び替え部１０への２つの入力のうち、切り替えの無い方の画像に合わせた目立たない色にする。目立たない色としては、例えば、切り替えの無い方の画像の背景色に近い色、当該画像に最も多く含まれている色、当該画像に含まれる画像の平均値をとった色、あるいは、当該画像との明るさやコントラスト等の対比においてユーザが識別しにくい色等である。
【００５７】
例えば、一方の入力はＤＶＤ画とＴＶ画との切り替えがあって、他方の入力は地図画のみの入力で切り替えが無い場合、ミュート画の色は、地図画に合わせた目立たない色にする。一般的に市場で普及している地図画の場合、背景色としてよく使われる青色をミュート画にすれば、目立たないことが認識されている。また、ユーザが地図の色をカスタマイズできるものである場合、カスタマイズされた色に合わせてミュート画が定まるようにしてもよい。
【００５８】
このように切り替えのある方の画像よりも、切り替えの無い方の画像の色に合わせることで、切り替えの無い方のミュート画が目立たず、それを見ているユーザはミュート画を認識しにくくなって、ミュート画による不快感を受けることがない。一方、切り替えのある方は、特にＤＶＤ画とＴＶ画との切り替えの場合、通常は、画像を見ているユーザの切り替え指示によるものである。よって、そのユーザは、自身の操作によって切り替えがなされることを認識しているので、切り替え時のミュート画の色が目立つ色であろうとなかろうと、さほどミュート画による不快感を受けないはずである。それよりもむしろ、画像の乱れが見えないことによる効果の方が高い。その他の実施例についても、これと同様の技術思想を適用してもよい。
【００５９】
また、ミュート画の色をレジスタ５０が複数色保持している場合において、時間帯によって出力する色を変えるようにしてもよい。例えば、昼と夜とでは、ユーザにとっては、画面表示の明るさ等の感じ方が異なる。このため、仮に昼も夜も同じ色のミュート画を挿入した場合、その色は、昼には目立ちを感じない色であっても、夜には目立ちを感じる色である場合がある。よって、昼または夜に相当する時間帯に応じて、その時間帯において、より目立ちにくい色をミュート画とする。具体的には、昼は青のミュート画、夜は黒のミュート画にすることが考えられる。青のミュート画は、昼間には目立たなくても、夜になるとユーザには明る過ぎて見える。よって夜は、明るさを抑えた黒のミュート画にすることによって、ユーザに不快感を与えないようにすることができる。この切り替えの契機は、例えば、時計によることとしてもよいし、光センサ等の照度によることとしてもよいし、イルミスイッチによることとしてもよい。青、黒の２種類に限らず、外部の明るさによって、複数の色のミュート画を使い分けるようにしてもよい。
【００６０】
さらに、レジスタ５０の代わりにフレームメモリを備えるようにして、フレームメモリには、運転席側と助手席側の夫々に異なる色のミュート画が表示されるように、幅が１画素の２色の縦線を交互に並べた縦縞のフレーム画を記憶するようにしてもよい。そしてその２色は、例えば、並び替え部１０に入力される２つの画像それぞれに合わせた目立たない色にするのが望ましい。例えば、一方の画像の地図画の背景色が緑で、他方の画像のＤＶＤの背景色が青である場合には、フレームメモリは、緑と青からなる縦縞の画像を記憶する。この構成により、ミュート画の表示期間には、地図画が表示されている側には緑のミュート画が表示され、ＤＶＤ画が表示される側には青のミュート画が表示される。
【００６１】
［実施例４］
次に実施例４について説明する。本実施例４では、運転席側に表示される映像と、助手席側に表示される映像とを個別のタイミングで同じ色のミュート画像を挿入して、映像の切り替えを行う例である。
【００６２】
図４（Ａ）は、本実施例４におけるＭＶ装置１の構成例を示す図である。実施例２（図２（Ａ）等）と同様に並び替え部１０の前段に第１の挿入部２１、第２の挿入部２２を設けている。また、第１のレジスタ５１と第２のレジスタ５２は、実施例３と同様に同じ色のミュート画像を記憶し、各挿入部２１、２２に出力する。
【００６３】
例えば、図３（Ｂ）に示すように、第１の挿入部２１に地図画、第２の挿入部２２にはＤＶＤからのＮＴＳＣ画像が入力される。各挿入部２１、２２におけるミュート画挿入の切り替え動作は実施例３等と略同様である。
【００６４】
マイコン３０からの第１の制御信号に基づいて、第１の挿入部２１では地図画からミュート画像に切り替えて出力する。この場合、マイコン３０は第２の挿入部２２に第１の制御信号を出力しないため、ＤＶＤ画にミュート画像は挿入されない。その後、第１の挿入部２１は走行規制画に切り替える。
【００６５】
一方、ＤＶＤからＴＶにそのソースを切り替えたとき、マイコン３０は第２の制御信号を第２の挿入部２２に出力する。第２の挿入部２２では、第２の制御信号に基づいて、第１の挿入部２１で挿入した同じ色のミュート画像を出力するよう切り替える。この場合、第２の制御信号は第１の挿入部２１に出力されない。従って、走行規制画にミュート画は挿入されない。その後、第２の挿入部２２は、ＴＶ画に切り替える。
【００６６】
本実施例では、同じ色のミュート画像を各映像の切り替えのタイミングで個別に挿入しているので、映像の乱れをなくすことができる。また、個別のタイミングでミュートが行われるため、他方にミュートによる影響を与えることがなく目立つことなく映像ミュートが行われる。
【００６７】
［実施例５］
実施例５は、運転席側と助手席側とに表示される映像に対して、同一のタイミングで個別の色で指定したミュート画像を夫々挿入して、映像ミュートを行う例である。
【００６８】
本実施例５における、ＭＶ装置１の構成は図４と同じである。但し、各レジスタ５１、５２には異なる色のミュート画像が記憶される。また、同一のタイミングで挿入するため、マイコン３０から各挿入部２１、２２に同一のタイミングで切り替えのための制御信号が出力される。
【００６９】
図５（Ａ）に示すように、第１の挿入部２１には走行規制画１００が入力され、第２の挿入部２２にはＤＶＤ画が入力される例で考える。例えば、助手席側のユーザが操作ボタンを操作してＤＶＤ画からＴＶ画に映像を切り替えたとする。
【００７０】
このとき、マイコン３０は、第１の挿入部２１と第２の挿入部２２に同一のタイミングで制御信号を出力する。第１の挿入部２１はこの制御信号に基づいて、第１のレジスタ５１からのミュート画像（例えば、青色）に切り替えて出力する。第２の挿入部２２も第２のレジスタ５２からのミュート画像（例えば、黒色）に切り替えて出力する。
【００７１】
従って、図５（Ａ）に示すように、同じタイミングで異なる色のミュート画像が挿入される。その後、各挿入部２１、２２は入力された走行規制画２００と、ＴＶ画とに切り替えて出力する。
【００７２】
ＴＦＴ４０に表示される走行規制画１００、２００の例を夫々図５（Ｂ）、（Ｃ）に示す。夫々画面左上に、ボタン１１０、２１０がオンスクリーン表示される。車両停止後、走行規制画からＤＶＤからの再生画像やＴＶ画像が視聴できることを示すボタンである。このように、走行規制画１００と走行規制画２００とは異なる走行規制画であるため、映像の切り替わりのタイミングで映像ミュートが行われる。
【００７３】
このような映像ミュートにより、各映像の切り替わりで映像の乱れをなくすことができる。
【００７４】
レジスタ５１、５２から出力されるミュート画像は、実施例３と同様に、映像が切り替わる前のモードで使用した背景色と同じ色でもよい。このため、レジスタ５１、５２に複数色のミュート画像が記憶されてもよい。マイコン３０からの制御信号に基づいて、いずれか１つの色のミュート画像を出力するようにすれば、複数のモードに応じた映像ミュートを行い得るからである。
【００７５】
［実施例６］
次に実施例６について説明する。実施例６は、運転席側と助手席側とで個別のタイミングで個別の色のミュート画像を挿入して映像ミュートを行う例である。
【００７６】
本実施例６におけるＭＶ装置１の構成は、実施例４と同一の構成である（図４参照）。但し、マイコン３０から第１の挿入部２１と第２の挿入部２２に出力される制御信号（夫々、第１の制御信号、第２の制御信号）は個別のタイミングで出力される。
【００７７】
図６に示す例では、走行規制画２００が運転席側に表示されているときに運転手が車両を止めることで、ＴＶ画像に切り替わる。マイコン３０は、このタイミングで第１の挿入部２１に第１の制御信号を出力する。第１の挿入部２１は、第１のレジスタ５１からの青色のミュート画像に切り替えて映像ミュートを行う。
【００７８】
一方、助手席側のユーザは、車両停止後操作ボタン等の操作により、ＴＶ画像からＤＶＤ画像に切り替えると、第２の挿入部２２はマイコン３０からの第２の制御信号に基づいて、第２のレジスタ５２から黒色のミュート画像に切り替えて出力する。第１の制御信号は第２の挿入部２２に、第２の制御信号は第１の挿入部２１に出力されないため、夫々個別のタイミングで映像ミュートが可能となる。
【００７９】
ミュート画像を挿入後、切り替え後の映像を各々出力することで、図６に示す出力が得られる。従って、個別のタイミングで個別の色指定されたミュート画像を挿入して映像ミュートを行っているため、運転席側、助手席側双方における、切り替え時の映像の乱れを防止することができる。また、個別にミュートしているため、他方に影響を与えることがなく、目立つことなく映像ミュートを行い得る。
【００８０】
この実施例６も、前のモードで使用した背景色と同じ色のミュート画像を使用してもよい。そのため、複数色のミュート画像をレジスタ５１、５２に記憶し、マイコン３０からの制御信号により各々いずれか１色のミュート画像を個別のタイミングできるようにする。複数のモードに応じた色のミュート画像を挿入することで、目立つことなく映像の切り替えを行い得る。
【００８１】
［実施例７］
実施例７は、運転席側、助手席側に同一タイミングで固有の画像をミュート画像として映像ミュートを行う例である。固有の画像の例として、映像の切り替わり直前のフレーム画である。
【００８２】
図７は、本実施例７におけるＭＶ装置１の構成例を示す図である。挿入部２３は、メモリ２３１と選択部２３２とを備える。メモリ２３１は、並び替え部１０より出力されるフレーム画を記憶する。少なくとも１フレーム分を記憶していればよい。選択部２３２は、画像切り替え指示等を検知したマイコン３０からの制御信号に基づいて、メモリ２３１に記憶されたフレーム画を出力する。これを１フレーム期間或いは数フレーム期間に亘り出力する。この期間は、他の実施例と同様、切り替えられた画像が同期をとるのに必要な期間であり、本実施例では１フレーム期間としている。この１フレーム期間に、選択部２３２がメモリ２３１に記憶された最新の画像を出力しているうちに、切り替えられた画像ともう一方の画像との同期がとれて、乱れの無くなったフレーム画像が、並び替え部１０から選択部２３２に入力されるようになる。その後、並び替え部１０からの出力映像に切り替える。
【００８３】
これにより、例えば図７（Ｂ）に示すように、運転席側にはミュート期間中に切り替わり直前のｎフレーム目の地図画が表示され、助手席側にはｎフレーム目のＤＶＤ画が表示される。ミュート期間経過後、（ｎ＋２）フレーム目の地図画、１フレーム目のＴＶ画が表示される。
【００８４】
このように、同一のタイミングで切り替わり直前のフレーム画をミュート画として挿入することで、運転席側と助手席側の双方で映像の切り替わりによる映像の乱れを防止することができる。
【００８５】
［実施例８］
実施例８は、運転席側、助手席側に同一タイミングで固有の画像を個別に出力することで映像ミュートを掛ける例である。固有の画像とは、映像の切り替わり直前のフレーム画像である。
【００８６】
図８は、本実施例８におけるＭＶ装置１の構成例である。第１の挿入部２４と、第２の挿入部２５は、実施例７の挿入部２３と同一構成である。メモリ２４１、２５１に記憶されたフレーム画を選択部２４２、２５２で選択して出力することで、映像の切り替わりのタイミングでフレーム画がミュート画として出力される。これらの切り替えは、マイコン３０からの制御信号に基づいて行われる。
【００８７】
この場合、同一のタイミングで個別のフレーム画が挿入されるが、結果的に実施例７と同様である。いずれも、切り替わり直前のフレーム画をミュート画としているからである。
【００８８】
本実施例８の例も、運転席側と助手席側との双方で映像の切り替わりによる映像の乱れを防止することができる。
【００８９】
［実施例９］
実施例９は、運転席側、助手席側に個別のタイミングで固有の画像を個別に映像ミュートを掛ける例である。固有の画像は、実施例７等と同様に切り替わり直前のフレーム画である。
【００９０】
図８は、本実施例９におけるＭＶ装置１の構成例である。実施例８と同一構成である。但し、マイコン３０からは第１の制御信号が第１の挿入部２４に、第２の制御信号が第２の挿入部２５に夫々異なるタイミングで出力される点が異なる。
【００９１】
マイコン３０は、各映像の切り替わりのタイミングで第１の制御信号や第２の制御信号を出力するため、運転席側と助手席側の映像が異なるタイミングで切り替わっても夫々の映像のみに映像ミュートが掛けられる。
【００９２】
例えば、図８（Ｂ）に示すように、地図画から走行規制画に切り替わるタイミングで、直前のｎフレーム目の地図画がミュート画となり、その後走行規制画となる。また、ＤＶＤ画からＴＶ画に切り替わるタイミングでｎフレーム目のＤＶＤ画がミュート画として挿入され、その後ＴＶ画となる。
【００９３】
このように、各タイミングで個別に映像ミュートを掛けることで、運転席、助手席双方で各映像が異なるタイミングで切り替わっても、双方とも映像乱れがなく次の映像に切り替えることができる。また、個別のタイミングのため、他方にミュートによる影響を与えることもない。
【００９４】
［他の実施例］
実施例１乃至実施例９において、運転席側の画像の例として地図画や走行規制画、助手席側の画像の例としてＮＴＳＣ画像（ＴＶ画像やＤＶＤから再生された画像など）を例にしたが、これは一例であって、例えば、助手席側に地図画や運転席側にＮＴＳＣ画像が表示されてもよい。
【００９５】
この場合、並び替え部１０の画素の並び替えを変えることでも、運転席側にＮＴＳＣ画像等、助手席側に地図画等を表示させることもできる。上述した例と全く同様の作用効果を奏する。
【００９６】
また、液晶ディスプレイとしてＴＦＴ型を例にして説明したが、それ以外にも、例えば、ＳＴＮ（Super Twisted Nematic）型やＤＳＴＮ（Dual-scan Super Twisted Nematic）型等、種々のものでも本発明は適用可能である。更に、液晶ディスプレイ以外にも、プラズマディスプレイやＥＬディスプレイ（Electroluminescence display）でも適用可能である。いずれの場合も、上述した実施例と同様の作用効果を奏する。
【図面の簡単な説明】
【００９７】
【図１】本発明が適用されるＭＶ装置の構成例と映像の出力例を示す図である。
【図２】ＭＶ装置の他の構成例と、映像の他の出力例を示す図である。
【図３】ＭＶ装置の他の構成例と、映像の他の出力例を示す図である。
【図４】ＭＶ装置の他の構成例と、映像の他の出力例を示す図である。
【図５】映像の他の出力例と、走行規制画の例を示す図である。
【図６】映像の他の出力例を示す図である。
【図７】ＭＶ装置の他の構成例と、映像の他の出力例を示す図である。
【図８】ＭＶ装置の他の構成例と、映像の他の出力例を示す図である。
【符号の説明】
【００９８】
１・・・ＭＶ（マルチビューディスプレイ）装置、  １０・・・並び替え部、  ２０、２３・・・挿入部、  ２１、２４・・・第１の挿入部、  ２２、２５・・・第２の挿入部、  ３０・・・マイコン、  ４０・・・ＴＦＴ型液晶ディスプレイ、  ５０・・・レジスタ、    ５１・・・第１のレジスタ、  ５２・・・第２のレジスタ、  ２３１・・・メモリ、  ２３２・・・選択部
【図１】
2007036454.tif 000003
【図２】
2007036454.tif 000004
【図３】
2007036454.tif 000005
【図４】
2007036454.tif 000006
【図５】
2007036454.tif 000007
【図６】
2007036454.tif 000008
【図７】
2007036454.tif 000009
【図８】
2007036454.tif 000010